(57)【特許請求の範囲】
【請求項１】
ポンプピットよりヘッドタンクへ揚水した水をサーフィンプールに流出させるとともに、サーフィンプールから流出する水を流水プールに導入して流水プールの流水駆動源とするプール施設において、
上記サーフィンプールの流水が流入する、２つの高さ可変の溢流堰で囲んで形成された流入部と、
上記流入部の一方の溢流堰からの溢流水を流水プールに導き上記流水駆動源とする第１の水路と、
上記流入部の他方の溢流堰からの溢流水を上記ポンプピットに導き回収する第２の水路と、
を有することを特徴とするプール施設。
【発明の詳細な説明】
【０００１】
【発明の属する技術分野】
この発明は、サーフィンプールから流出する水を流水プールに導入して流水プールの流水駆動源とするプール施設に関するものである。
【０００２】
【従来の技術】
近年、レジャー用にサーフィンプールと流水プールとを組み合わせたプール施設が開発され、実用に供されるようになってきた。このようなプール施設では、サーフィンプールから流出する水を流水プールに導入して流水プールの流水駆動源としており、したがって、流水プールに流れを起こす起流装置を不要としている。
【０００３】
【発明が解決しようとする課題】
しかし、上記従来のプール施設では、起流装置が不要にはなるものの、サーフィンプールから流水プールへの流下水量を調整できず、多量の流下水が流水プールに流入してくるので、流水プールを流れる水の流速が高速となり、しかもその流速を適度に制御できないため、遊泳上危険をともなうことがあった。
また、サーフィンプールの滑走面補修等でサーフィンプールに水を流下させないときは、流水プールに水が流入しないため、流水プールの流れが消滅して普通の流れのないプールとなってしまい、遊泳者の期待に応えられないという問題点も有していた。
【０００４】
この発明は上記に鑑み提案されたもので、サーフィンプールから流水プールへの流れを遊泳者にとって安全なものとするとともに、流水プールの流れを常に保つことができるプール施設を提供することを目的とする。
【０００５】
【課題を解決するための手段】
上記目的を達成するために、この発明のプール施設は、ポンプピットよりヘッドタンクへ揚水した水をサーフィンプールに流出させるとともに、サーフィンプールから流出する水を流水プールに導入して流水プールの流水駆動源とするプール施設において、上記サーフィンプールの流水が流入する、２つの高さ可変の溢流堰で囲んで形成された流入部と、上記流入部の一方の溢流堰からの溢流水を流水プールに導き上記流水駆動源とする第１の水路と、上記流入部の他方の溢流堰からの溢流水を上記ポンプピットに導き回収する第２の水路と、を有するようにしたものである。
【０００６】
この発明によれば、サーフィンプールの流水が流入する流入部の２つの溢流堰は高さを調整できるので、一方の溢流堰から第１の水路に入る溢流水の水量、すなわち流水プールに流入する水量を適量に制御でき、流水プールの流れは遊泳者にとって安全なものとなる。
【０００７】
【発明の実施の形態】
以下にこの発明の実施の形態を図面に基づいて詳細に説明する。
図１はこの発明のプール施設の全体構成を概略的に示す平面図である。図において、プール施設は、サーフィンプール１と流水プール５との組み合わせで構成してある。
【０００８】
サーフィンプール１は、流下水を発生させる流下水発生部１０、およびその流下水の波でサーフィンを実施するサーフィン遊技部２０を備えており、サーフィン遊技部２０は、詳細は後述するように、略中央に隆起させて形成したカールトップ部２３を境にして、通常の波でサーフィンを行える通常遊技部２１と、巻き波を利用しパイプラインと称するサーフィンを行うパイプライン遊技部２２との２つの遊技部に分かれている。
【０００９】
上記の流下水発生部１０は、図２に示すように、ポンプピット１２に貯留した水をポンプ１２１でヘッドタンク１１に揚げ、ヘッドタンク１１に貯まった水を、ゲート１１１をシリンダ１１２で開くことでサーフィン遊技部２０に流下させるようにしたものである。このゲート１１１とシリンダ１１２は、サーフィン遊技部２０の幅方向に４セット並設してあり、そのうちの２セットは通常遊技部２１に向けて、また残りの２セットはパイプライン遊技部２２に向けて、それぞれヘッドタンク１１内の水を流下させている。
【００１０】
ヘッドタンク１１の上方、およびパイプライン遊技部２２の側縁には、階段状の観客席１３が設けてあり、観客はこの席からサーフィン遊技部２０で行われるサーフィンを見物することができる。
【００１１】
上記の通常遊技部２１は、図２に示すように、水の流下方向先端側に、滑らかに隆起させて形成した隆起部２１１を有し、ヘッドタンク１１からの流下水は、この隆起部２１１を越えて流れるとき大波となり、そのまま隆起部２１１の後段に設けたリカバリープール２１２に流れ込む。
【００１２】
このリカバリープール２１２の後段側には、その床面に設けたグレーチング３１を入口とする流入部３２が地下部分に形成してあり、隆起部２１１を越えてリカバリープール２１２に流入した水の大部分は、このグレーチング３１から流れ落ちて流入部３２に流入する。
【００１３】
図３は流入部の平面図、図４はその要部の斜視図である。これらの図に示すように、流入部３２は、水路を２つの角落とし式の溢流堰３２１，３２２で囲んで形成したものであり、溢流堰３２１，３２２は、サイド壁３２０,３２０に形成した溝３２５…に角落とし３２６を嵌め込んで構成してあり、この溝３２５…に嵌め込む角落とし３２６の個数を変えることで、２つの溢流堰３２１，３２２はそれぞれ高さが調整可能となる。
【００１４】
図１に戻って説明すると、流入部３２から流水プール５まで、サーフィンプール１の外縁に沿って第１の水路であるバイパス水路３３が地下水路として設けてあり、またこのバイパス水路３３が流水プール５に臨むその側壁部分には導出口５０が設けてある。流入部３２に流入した水のうち、溢流堰３２１から溢れた溢流水はこのバイパス水路３３を流れ、導出口５０から流水プール５に流れ込む。
【００１５】
また、流入部３２からポンプピット１２まで、サーフィンプール１の外縁に沿って第２の水路であるリターン水路３４が地下水路として設けてあり、溢流堰３２２からの溢流水はこのリターン水路３４を流れてポンプピット１２に回収される。
【００１６】
流水プール５では、上記の溢流堰３２１から溢れた水が、導出口５０から多量に流入してきて、流水プール５に沿って周回し流れを起こすとともに、その流水プール５がサーフィンプール１に臨む部分に沿って床面に設けたグレーチング５１に多量の水が流れ落ち、その流れ落ちた多量の水は、ここでは図示されていない水路を通ってポンプピット１２に回収されるようになっている。
【００１７】
上記のリカバリープール２１２は、通常遊技部２１での流下水の進行方向に対して横方向に延設してあり、その最終段にはランディングプール２１３が設けてある。上記のグレーチング３１に流下しなかった水は、このランディングプール２１３に向けて流れ、ランディングプール２１３に設けてあるグレーチング（図示せず）から下方に流れ落ちてポンプピット１２まで回収されるようになっている。
【００１８】
上記のパイプライン遊技部２２は、ヘッドタンク１１からの流下水がカールトップ部２３に当たることで発生する巻き波を利用してサーフィン（パイプライン）を行う遊技領域であり、このパイプライン遊技部２２での流下水は、カーブしているカールトップ部２３に沿って誘導されながら、その最終段に設けたグレーチング３６まで流れ、そのグレーチング３６から下方に流れ落ち、ここでは図示されていない水路を通ってポンプピット１２まで回収されるようになっている。
【００１９】
上記構成のサーフィンプール１において、サーファーが通常のサーフィンを行うときは、通常遊技部２１の隆起部２１１の一端側に設置したスタート台４１からサーフボード４２に乗ってスタートし、流下してきた水に進入し、そのまま隆起部２１１での大波に乗り、リカバリープール２１２に入る。その後ランディングプール２１３に到達して波乗りの１行程を完了し、階段４３を上がってスタート台４１に戻ることになる。
また、サーファーがパイプラインを行うときは、スタート台４１からスタートして通常遊技部２１を横断し、パイプライン遊技部２２に発生している巻き波を捕らえ、その巻き波に乗ってグレーチング３６に到達し、そこでサーフボード４２を降りてスタート台４２に戻る。
【００２０】
続いて、上記構成のプール施設における水流れについて説明する。ヘッドタンク１１から通常遊技部２１に、例えば１９０ｍ3 ／分の水が流下し、その流下水がリカバリープール２１２に流れ込むと、その大部分、例えば１８０ｍ3 ／分の水がグレーチング３１から流入部３２に入り、残りの１０ｍ3 ／分の水はランディングプール２１３に流入し、そのままポンプピット１２に回収される。
【００２１】
流入部３２に入った１８０ｍ3 ／分の水は、溢流堰３２１，３２２を越えて流れ、バイパス水路３３とリターン水路３４とに振り分けられる。
溢流堰３２１を越えてバイパス水路３３に入った水は、導出口５０から流水プール５に流入して流水プール５に水の流れを発生させる。すなわち、導出口５０から流水プール５に入る多量の水は、流水駆動源としての機能を発揮することになる。一方、溢流堰３２２を越えてリターン水路３４に入った水は、上述したように、ポンプピット１２に流入し回収される。
【００２２】
ところで、上記実施形態のプール施設では、流水プール５での水の流速を、流水駆動源としての導出口５０（バイパス水路３３）での水の流量で決めることができ、その流量を例えば１３０ｍ3 ／分とすると、流水プール５での水の流速として遊泳者に安全な流速である１．０ｍ／ｓを得ることができる。
【００２３】
上記したように、この実施形態では、溢流堰３２１，３２２の高さを変えることで、バイパス水路３３とリターン水路３４とのそれぞれに流れる流量を調整可能としたので、バイパス水路３３に流れる流量を所望の１３０ｍ3 ／分に調整することができ、したがって流水プール５での水の流速を安全な流速に設定することができる。
【００２４】
一方、ヘッドタンク１１からパイプライン遊技部２２に、通常遊技部２１と同じ１９０ｍ3 ／分の水が流下すると、その流下水はそのままパイプライン遊技部２２を流れてグレーチング３６に流れ落ち、ほぼ全量の１９０ｍ3 ／分がポンプピット１２に回収される。
【００２５】
流水プール５では、導出口５０から流入する水と同量（１３０ｍ3 ／分）の水をグレーチング５１から流入させ、ポンプピット１２に回収している。
【００２６】
次に、サーフィン遊技部２０のメンテナンス（例えば滑走面補修）などを行うため、ヘッドタンク１１からの水の流下を停止させた場合について説明する。ヘッドタンク１１からサーフィン遊技部２０への水の流下を停止すると、バイパス水路３３の水も停止し、流水プール５には水が流入しなくなる。そこで、この実施形態では、ポンプピット１２からヘッドタンク１１に水を汲み上げ、ヘッドタンク１１に設けられた図示しない開口を開くことにより、リターン水路３４、バイパス水路３３を経由し、流水プール５へ所定の水量を流し、流速を確保する。この場合、溢流堰３２１，３２２を取り外しておくのが望ましい。なお、ヘッドタンク１１と、リターン水路３４、バイパス水路３３は、十分な高低差で設けられている。
【００２７】
このように、この実施形態では、ヘッドタンク１１からの流下水が流入する流入部３２に２つの溢流堰３２１，３２２を設け、その堰の高さを調整できるようにしたので、溢流堰３２１からバイパス水路３３に入る溢流水の水量、すなわち流水プール５に流入する水量を適量に制御でき、流水プール５の流れを遊泳者にとって安全なものとすることができる。
【００２８】
また、ヘッドタンク１１から高低差でリターン水路３４、バイパス水路３３に逆流可能とし、しかも流量も十分に確保するようにしたので、サーフィン遊技部２０のメンテナンス等でヘッドタンク１１からサーフィン遊技部２０への流下水を停止した場合でも、流水プール５に水を十分に流入させることができ、流水プール５の水の流れを常時安定して保つことができる。
【００２９】
【発明の効果】
以上説明したように、この発明のプール施設によれば、サーフィンプールからの流下水が流入する流入部に２つの溢流堰を設け、その堰の高さを調整できるようにしたので、一方の溢流堰から第１の水路に入る溢流水の水量、すなわち流水プールに流入する水量を適量に制御でき、流水プールの流れを遊泳者にとって安全なものとすることができる。
【００３０】
また、ヘッドタンクから第２の水路、第１の水路に逆流可能とし、しかも流量を十分に確保するようにしたので、サーフィンプール側のメンテナンス等で流下水を停止した場合でも、流水プールに水を十分に流入させることができ、流水プールの水の流れを常時安定して保つことができる。
【図面の簡単な説明】
【図１】この発明のプール施設の全体構成を概略的に示す平面図である。
【図２】図１のＡ−Ａ断面を示す図である。
【図３】流入部の平面図である。
【図４】流入部の要部の斜視図である。
【符号の説明】
１  サーフィンプール
５  流水プール
５０  導出口
５１  グレーチング
１０  流下水発生部
１１  ヘッドタンク
１２  ポンプピット
２０  サーフィン遊技部
２１  通常遊技部
２２  パイプライン遊技部
２３  カールトップ部
２１１  隆起部
２１２  リカバリープール
３１，３６  グレーチング
３２  流入部
３３  第１の水路（バイパス水路）
３４  第２の水路（リターン水路）
３２１，３２２  溢流堰
３２６  角落とし
【図１】
0003731248.tif 000002
【図２】
0003731248.tif 000003
【図３】
0003731248.tif 000004
【図４】
0003731248.tif 000005